(57)【要約】【課題】後縁から回転方向に略平行に延びる圧力面側への節部を有する羽根を備えたプロペラファンであって、回転時に羽根がプロペラファンの径外方向に伸び難いプロペラファン、及びこのプロペラファンを備えた送風装置を提供することを課題とする。【解決手段】本発明は、筒状のハブ１４と、ハブ１４に設けられた複数の羽根２０、２０Ａとを備えたプロペラファン１２であって、羽根２０、２０Ａは、後縁２２から回転方向αと略平行に延び、圧力面２４側に突出する一方負圧面２５側が凹む節部２６をプロペラファン１２の半径方向Ｒにおいて１つ又は複数有し、当該羽根２０、２０Ａには、同一半径位置における厚みの平均値である平均翼厚の半径方向Ｒの外側への減少勾配が他の部位よりも大きな減肉部位３０が、半径方向Ｒにおける最も外側の前記節部２６の外側に設けられていることを特徴とする。【選択図】図５
2013137009.tif 000002
【特許請求の範囲】
【請求項１】
モータ（５０）の回転軸（５２）に取り付けられる筒状のハブ（１４）と、前記ハブ（１４）に設けられた複数の羽根（２０、２０Ａ）とを備えたプロペラファン（１２）であって、
前記羽根（２０、２０Ａ）は、後縁（２２）から回転方向（α）と略平行に延び、圧力面（２４）側に突出する一方負圧面（２５）側が凹む節部（２６）をプロペラファン（１２）の半径方向（Ｒ）において１つ又は複数有し、
当該羽根（２０、２０Ａ）には、同一半径位置における厚みの平均値である平均翼厚の前記半径方向（Ｒ）の外側への減少勾配が他の部位よりも大きな減肉部位（３０）が、前記半径方向（Ｒ）における最も外側の前記節部（２６）の外側に設けられている、プロペラファン。
【請求項２】
前記羽根（２０Ａ）は、前記半径方向（Ｒ）における前記減肉部位（３０）の外側に当該減肉部位（３０）よりも前記減少勾配の小さな部位（３２）を有し、
当該羽根（２０Ａ）の前記半径方向（Ｒ）の外側の縁である外縁（２３）における前記半径方向（Ｒ）に沿った断面形状が円弧状となっている、請求項１に記載のプロペラファン。
【請求項３】
請求項１又は２に記載のプロペラファン（１２）と、
前記プロペラファン（１２）を回転させるモータ（５０）と、を備える、送風装置。
【発明の詳細な説明】
【技術分野】
【０００１】
本発明は、プロペラファン、及びこのプロペラファンを備えた送風装置に関する。
【背景技術】
【０００２】
従来から、特許文献１に開示されるプロペラファンが知られている。このプロペラファンは、図８に示されるように、モータ等の回転軸に取り付けられる筒状のハブ１０２と、ハブ１０２の側面１０２ａに配設された複数の羽根１０４、１０４、…とを備える。各羽根１０４は、回転方向（図８の矢印α）における後側の縁である後縁１０５から前記回転方向と略平行に延び、圧力面１０６側へ突出する一方負圧面１０９側が凹む２つの節部１０７、１０７を有する。即ち、この節部１０７が設けられている羽根１０４の後縁では、図９に示されるように、半径方向（プロペラファン１００の半径方向）の各位置における厚み（肉厚）が一定の波形となっている。
【０００３】
このプロペラファン１００によれば、回転時に、各節部１０７によって圧力面１０６に沿った半径方向の外側（径外方向）への空気の流れを抑制することができ、これにより、羽根１０４の外縁（プロペラファン１００の半径方向における外側の縁）１０８での渦流の発生を抑制すると共に、送風性能が向上する。具体的には、上記のプロペラファン１００では、プロペラファン１００の回転時に、遠心力によって圧力面１０６に沿って生じる径外方向への空気の流れが、各節部１０７の半径方向の内側の部位１０７ａに押し付けられることによって抑制される。このように、プロペラファン１００の外縁１０８に向かう空気の流れが抑制されることにより、外縁１０８において圧力面１０６側から負圧面１０９側に回り込む漏れ空気の渦流によって生じる送風音を低減することができる。また、プロペラファン１００の外縁１０８に向かう空気の流れが抑制されることで、羽根１０４の回転方向αに沿った空気の流れが増えるため、各羽根１０４がスパン方向の全体に亘って均一に仕事するようになり、その結果、送風性能が向上する。
【先行技術文献】
【特許文献】
【０００４】
【特許文献１】特開２００９−１８５８０３号公報
【発明の概要】
【発明が解決しようとする課題】
【０００５】
しかし、上記のプロペラファン１００では、プロペラファン１００が回転して羽根１０４の各部位に遠心力が加わったときに、自重によって各羽根１０４の外縁１０８側の部位（詳しくは、前記半径方向における最も外側の節部１０７の外側の部位）が径外方向に伸びるように撓む（図９の破線参照）。これにより、上記のプロペラファン１００では、回転時にプロペラファン１００の直径が大きくなる。
【０００６】
そこで、本発明は、上記問題点に鑑み、後縁から回転方向に略平行に延びる圧力面側への節部を有する羽根を備えたプロペラファンであって、回転時に羽根がプロペラファンの径外方向に伸び難いプロペラファン、及びこのプロペラファンを備えた送風装置を提供することを課題とする。
【課題を解決するための手段】
【０００７】
上記課題を解消すべく、本発明は、モータ（５０）の回転軸（５２）に取り付けられる筒状のハブ（１４）と、前記ハブ（１４）に設けられた複数の羽根（２０、２０Ａ）とを備えたプロペラファン（１２）であって、前記羽根（２０、２０Ａ）は、後縁（２２）から回転方向（α）と略平行に延び、圧力面（２４）側に突出する一方負圧面（２５）側が凹む節部（２６）をプロペラファン（１２）の半径方向（Ｒ）において１つ又は複数有し、当該羽根（２０、２０Ａ）には、同一半径位置における厚みの平均値である平均翼厚の前記半径方向（Ｒ）の外側への減少勾配が他の部位よりも大きな減肉部位（３０）が、前記半径方向（Ｒ）における最も外側の前記節部（２６）の外側に設けられている。
【０００８】
本発明によれば、プロペラファン（１２）の回転時に、節部（２６）によって圧力面（２４）に沿った前記半径方向（Ｒ）の外側（径外方向）への空気の流れを抑制して送風性能を向上させつつ、前記半径方向（Ｒ）における最も外側の節部（２６）の外側に前記減肉部位（３０）を設けて当該外縁側の部位（前記減肉部位（３０）が設けられている部位）を軽くすることにより羽根（２０、２０Ａ）の前記外縁側の部位に加わる遠心力を抑え、これにより、当該外縁側の部位の遠心力による撓みに起因する羽根（２０、２０Ａ）の径外方向への伸びを防ぐことができる。
【０００９】
即ち、前記半径方向（Ｒ）の最も外側の節部（２６）の外側（外縁（２３）側ほど遠心力が大きいため、プロペラファン（１２）の回転時に前記最も外側の節部（２６）を基点に撓み、径外方向に伸びやすい部位）に減肉部位（３０）を設けることによって、厚み（肉厚）が基部（２８）から外縁（２３）まで一定である羽根、又は一定の減少勾配である羽根に比べ、前記伸びやすい部位（減肉部位（３０）の設けられた部位）を薄くすることができ、これによって当該伸びやすい部位を軽くして当該部位におけるプロペラファン（１２）の回転時の遠心力を効果的に抑え、その結果、この遠心力による撓みに起因する羽根（２０、２０Ａ）の径外方向への伸びを防ぐことができる。
【００１０】
本発明に係るプロペラファン（１２）においては、前記羽根（２０Ａ）は、前記半径方向（Ｒ）における前記減肉部位（３０）の外側に当該減肉部位（３０）よりも前記減少勾配の小さな部位（３２）を有し、当該羽根（２０Ａ）の前記半径方向（Ｒ）の外側の縁である外縁（２３）における前記半径方向（Ｒ）に沿った断面形状が円弧状となっていてもよい。
【００１１】
かかる構成によれば、減肉部位（３０）によって遠心力による撓みに起因する羽根（２０Ａ）の径外方向への伸びを防止しつつ、減肉部位（３０）の外側に当該減肉部位（３０）よりも前記減少勾配の小さな部位（３２）を設けることによって外縁（２３）の厚みを確保することにより、羽根（２０Ａ）の外縁（２３）における圧力面（２４）側から負圧面（２５）側に回り込む気流の乱れ（例えば、渦流等）の発生を抑えて当該乱れによって生じる送風音を低減することができる。
【００１２】
即ち、減肉部位（３０）の外側に、径外方向への厚み（肉厚）の減少勾配の小さな部位（３２）を設け、外縁部に減肉部位（３０）だけが設けられた場合よりも外縁（２３）端における厚みを確保（大きく）することによって、羽根外縁（２３）の前記半径方向（Ｒ）の断面形状における前記円弧の半径を大きくすることができ、これにより、圧力面（２４）側から負圧面（２５）側に回りこむ気流の流れを滑らかにして外縁（２３）における渦流等の乱流の発生を抑える。その結果、外縁（２３）において圧力面（２４）側から負圧面（２５）側に回り込む気流の乱れに起因する送風音を効果的に低減することができる。
【００１３】
また、上記課題を解消すべく、本発明は、送風装置（１０）であって、上記いずれかのプロペラファン（１２）と、前記プロペラファン（１２）を回転させるモータ（５０）と、を備える。
【００１４】
かかる構成によれば、モータ（５０）によってプロペラファン（１２）が回転させられた時に、節部（２６）によって圧力面（２４）に沿った径外方向への空気の流れを抑制して送風性能を向上させつつ、プロペラファン（１２）の半径方向（Ｒ）における最も外側の節部（２６）の外側に減肉部位（３０）を設けて当該外縁側の部位（前記減肉部位（３０）が設けられている部位）を軽くすることにより羽根（２０、２０Ａ）の前記外縁側の部位に加わる遠心力を抑え、これにより、当該外縁側の部位の遠心力による撓みに起因する羽根（２０、２０Ａ）の径外方向への伸びを防ぐことができる。その結果、プロペラファン（１２）の回転時における、前記伸びによる羽根（２０、２０Ａ）の外縁（２３）とベルマウス（５５）との接触を防ぐことができる。
【発明の効果】
【００１５】
以上より、本発明によれば、後縁から回転方向に略平行に延びる圧力面側への節部を有する羽根を備えたプロペラファンであって、回転時に羽根がプロペラファンの径外方向に伸び難いプロペラファン、及びこのプロペラファンを備えた送風装置を提供することができる。
【図面の簡単な説明】
【００１６】
【図１】本実施形態に係る送風装置におけるプロペラファン周辺の中央縦断面図である。
【図２】前記プロペラファンの正面図（圧力面側）である。
【図３】前記プロペラファンの羽根の拡大斜視図である。
【図４】図２のＩＶ−ＩＶ拡大端面図である。
【図５】前記羽根の半径方向における平均翼厚の分布を示す図である。
【図６】他実施形態に係るプロペラファンの羽根の半径方向における平均翼厚の分布を示す図である。
【図７】他実施形態に係るプロペラファンの羽根の半径方向に沿った断面形状を模式的に示した図である。
【図８】従来のプロペラファンの正面図（圧力面側）である。
【図９】従来のプロペラファンの羽根の断面形状を説明するための図である。
【発明を実施するための形態】
【００１７】
以下、本発明の一実施形態について、添付図面を参照しつつ説明する。
【００１８】
本実施形態に係る送風装置は、例えば、換気扇や空気調和装置の室外機等において空気の流れを形成するために用いられる。尚、送風装置は、前記換気扇及び前記室外機以外の他の装置において用いられてもよい。
【００１９】
送風装置は、図１に示されるように、プロペラファン１２と、モータ５０と、ベルマウス５５と、を備える。これら各構成部材１２、５０、５５は、図略の筐体に配置されている。また、前記筐体には、モータ５０の回転数等を制御する制御部等が配置されている。
【００２０】
プロペラファン１２は、図２乃至図４にも示されるように、ハブ１４と、３枚の羽根２０、２０、２０とを備える。本実施形態では、ハブ１４と各羽根２０とが一体成型された樹脂製のプロペラファン１２である。尚、プロペラファン１２の羽根２０は、３枚に限定されず、２枚又は４枚以上であってもよい。即ち、プロペラファン１２は、複数枚の羽根２０、２０、…を備えていればよい。また、ハブ１４と羽根２０とが別部材であってもよく、材質が異なっていてもよい。
【００２１】
ハブ１４は、モータ５０に連結され、モータからの回転動力を各羽根２０に伝達する円筒状の部位である。ハブ１４の側面（周面）１６から各羽根２０が延び、モータ５０からの回転動力によって回転軸Ａを回転中心にして回転する。
【００２２】
３枚の羽根２０、２０、２０は、互いに同一形状である。これら３枚の羽根２０、２０、２０は、ハブ１４の側面１６にそれぞれ接続されている。そして、３枚の羽根２０、２０、２０は、ハブ１４の周方向において等間隔となるようにハブ１４（詳しくは、ハブ１４の回転軸Ａ）を中心にして放射状に配置されている。
【００２３】
各羽根２０は、回転軸Ａに対して傾斜するようにそれぞれ配置されている。具体的に、各羽根２０は、その前縁２１が回転軸Ａの一方側（プロペラファン１２の回転方向側）に位置し、後縁２２が回転軸Ａの他方側（プロペラファン１２の回転方向と反対側）に位置するように、回転軸Ａに対して傾斜している。
【００２４】
尚、本実施形態において、羽根２０の前縁２１とは、プロペラファン１２の回転方向α（以下、単に、「回転方向」と称する。：図１及び図２の矢印α参照）における羽根２０の前側の縁であり、羽根２０の後縁２２とは、回転方向αにおける後側の縁であり、羽根２０の外縁２３とは、プロペラファン１２の半径方向Ｒにおける外側の縁である。また、羽根２０の圧力面２４とは、プロペラファン１２を回転させることによって形成される空気の流れ（図１の矢印β参照）における下流側（図１における右側）の面であり、羽根２０の負圧面２５とは、前記空気の流れにおける上流側（図１における左側）の面である。
【００２５】
各羽根２０は、図３にも示されるように、後縁２２から回転方向αと略平行に延び、圧力面２４側へ突出する一方負圧面２５側が凹む２つの節部２６、２６を有する。各節部２６の圧力面２４側へ突出する高さは、回転方向αと略平行に後縁２２から前縁２１側へ進むに従って徐々に低くなり、後縁２２と前縁２１との中間位置で他の部位と同じ高さとなっている。これら２つの節部２６、２６は、半径方向Ｒに間隔をおいて並んでいる。これにより、各羽根２０の後縁２２側における節部２６の設けられている部位（以下、「後縁側部位」と称する。）の半径方向Ｒの断面形状は波形となっている（図４参照）。
【００２６】
本実施形態の２つの節部２６、２６は、半径方向Ｒの断面形状が互いに異なる。具体的には、羽根２０の基部２８側（ハブ１４側）の節部２６は、外側の節部２６に比べて、突出量が大きく且つ頂き（最も突出している部位）が急角度となっている。尚、節部２６の具体的な数は限定されない。本実施形態の節部２６の数は２つであるが、１つでもよく、３つ以上でもよい。また、複数の節部２６が設けられる場合、互いに異なる形状であってもよく、同じ形状であってもよい。
【００２７】
各羽根２０は、半径方向Ｒにおける最も外側の節部２６の外側に減肉部位３０を有する。この減肉部位３０は、羽根２０の同一半径位置における厚みの平均値である平均翼厚の径外方向への減少勾配が他の部位よりも大きくなっている部位である。
【００２８】
具体的には、各羽根２０の半径方向Ｒにおける平均翼厚の分布は、図５に示すようになっている。羽根２０の基部（ハブ１４側の端部）２８から、半径方向Ｒにおける最も外側の節部２６のすぐ外側の屈曲位置Ｂ（半径方向Ｒにおける最も外側の節部２６の最も高い位置から半径方向Ｒに所定の距離だけ離れた位置）までの平均翼厚の減少勾配は一定であり、屈曲位置Ｂよりも外縁２３側の部位の平均翼厚の減少勾配は、基部２８から屈曲位置Ｂまでの減少勾配よりも大きくなっている。この半径方向Ｒにおいて平均翼厚の減少勾配が他の部位よりも大きな部位（本実施形態では、屈曲位置Ｂから外縁２３までの部位）が減肉部位３０である。即ち、本実施形態では、減肉部位３０の内端（屈曲位置Ｂ）は、半径方向Ｒにおける最も外側の節部２６のすぐ外側の位置である。
【００２９】
羽根２０の外縁２３における半径方向Ｒに沿った断面形状は、円弧状になっている（図４参照）。詳しくは、負圧面２５が圧力面２４よりも径外方向へ延び、径外方向へ向かって負圧面２５からの厚みが小さくなることにより前記断面が半径ｒの円弧状になっている。外縁２３の半径方向Ｒに沿った断面形状がこのような円弧状に形成されることにより、プロペラファン１２の回転時の外縁２３における圧力面２４側から負圧面２５側に回り込む空気（漏れ空気）の流れが滑らかになって外縁２３における渦流等の発生が抑えられる。これにより、前記渦流等に起因する送風音が低減される。
【００３０】
尚、外縁２３の半径方向Ｒに沿った断面形状は、単に径外方向に膨出する円弧状（半円形状等）であってもよい。即ち、外縁２３の半径方向Ｒに沿った断面形状は、外縁２３において圧力面２４側から負圧面２５側に回りこむ漏れ空気の流れを滑らかにして渦流等の乱れが生じ難い形状であればよい。
【００３１】
モータ５０は、モータ本体５１と、回転軸５２とを有する（図１参照）。モータ本体５１は、外部から電力を供給されることによって回転軸５２を回転させる。回転軸５２は、ハブ１４に連結され、モータ本体５１からの回転動力をハブ１４に伝える。尚、本実施形態では、モータ５０の回転軸５２がハブ１４に直接連結されているが、この構成に限定されない。即ち、ハブ１４とモータ５０との間に複数の歯車や伝動ベルト等が配置され、これら歯車や伝導ベルトを介して、モータ５０からの回転動力がハブ１４に伝達される構成であってもよい。
【００３２】
ベルマウス５５は、プロペラファン１２を外周に沿って囲む部材である。このベルマウス５５は、プロペラファン１２に流入する空気の流れ、及び当該プロペラファン１２から送り出される空気の流れを整える。回転軸Ａを通る断面（図１の紙面）において、羽根２０の外縁２３近傍に位置する円弧状、又は円弧形状と回転軸Ａに平行な直線部とを含んだ形状（即ち、回転軸Ａに平行な直線部の両端が円弧状）の周壁部５６と、周壁部５６から回転軸Ａと直交する方向に広がる壁部５７とを有する。周壁部５６は、回転軸Ａと中心が一致するように、プロペラファン１２を周方向に囲む。また、周壁部５６は、回転方向αの各位置における羽根の外縁２３の最も半径方向外側の部位との間隔が一定となるようにプロペラファン１２を囲む。
【００３３】
以上の送風装置１０によれば、プロペラファン１２の回転時に、節部２６によって圧力面２４に沿った径外方向への空気の流れを抑制して送風性能を向上させつつ、半径方向Ｒにおける最も外側の節部２６よりも外側に減肉部位３０を設けて当該外縁２３側の部位（本実施形態では減肉部位３０）を軽くすることにより羽根２０の前記外縁２３側の部位に加わる遠心力を抑え、これにより、当該外縁２３側の部位の遠心力による撓みに起因する羽根２０の径外方向への伸びを防ぐことができる。
【００３４】
即ち、半径方向Ｒの最も外側の節部２６の外側（外縁２３側ほど遠心力が大きいため、プロペラファン１２の回転時に前記最も外側の節部２６を基点に撓み、径外方向に伸びやすい部位）に減肉部位３０を設けることによって、厚み（肉厚）が基部から外縁まで一定である羽根、又は一定の減少勾配である羽根に比べ、前記伸びやすい部位（減肉部位３０の設けられた部位）を薄くすることができ、これによって当該伸びやすい部位を軽くして当該部位におけるプロペラファン１２の回転時の遠心力を効果的に抑え、その結果、この遠心力による撓みに起因する羽根２０の径外方向への伸びを防ぐことができる。
【００３５】
これにより、本実施形態のようにベルマウス５５が設けられた送風装置においても、プロペラファン１２の回転時における前記伸びによる羽根２０の外縁２３とベルマウス５５（詳しくは周壁部５６）との接触を確実に防ぐことができる。
【００３６】
尚、本発明のプロペラファン、及びこのプロペラファンを備える送風装置は、上記実施形態に限定されるものではなく、本発明の要旨を逸脱しない範囲内において種々変更を加え得ることは勿論である。
【００３７】
上記実施形態のプロペラファン１２の羽根では、屈曲位置Ｂから外縁までが減肉部位であるが、この構成に限定されない。例えば、図６及び図７に示されるように、羽根において、減肉部位３０の外側に、当該減肉部位３０よりも半径方向における平均翼厚の減少勾配の小さな部位（肉厚確保部位）３２が設けられてもよい。
【００３８】
このような構成によれば、減肉部位３０によって遠心力による撓みに起因する羽根２０Ａの径外方向への伸びを防止しつつ、減肉部位３０の外側に肉厚確保部位３２（減肉部位３０よりも半径方向Ｒにおける平均翼厚の減少勾配の小さな部位）を設けることによって外縁２３の厚みを確保することにより、羽根２０Ａの外縁２３における圧力面２４側から負圧面２５側に回り込む気流の乱れ（例えば、渦流等）の発生を抑えて当該乱れによって生じる送風音を低減することができる。
【００３９】
即ち、上記の構成によれば、減肉部位３０が設けられているため、その外側に肉厚確保部位３２が設けられていても、羽根２０Ａの外縁側の部位（半径方向Ｒにおける最も外側の凸部の外側の部位）が、減肉部位３０が設けられていない場合（図７の一点鎖線参照）に比べて薄くなる（厚みが小さくなる）ため、当該部位（前記外縁側の部位）が軽くなり、その結果、プロペラファン１２の回転時の遠心力に起因する撓みによる羽根２０Ａの径外方向への伸びを好適に抑えることができる。しかも、減肉部位３０の外側に、肉厚確保部位３２を設けることによって、外縁部に減肉部位３０だけが設けられた場合よりも外縁端における厚みが確保（大きく）され、これにより、羽根外縁２３の半径方向Ｒに沿った断面形状における円弧の半径ｒ２を大きくすることができる。ここで、図７において、ｒ１が屈曲位置Ｂから外縁２３まで減肉部位３０が設けられた場合の前記円弧の半径であり、ｒ２が減肉部位３０の外側に肉厚確保部位３２を設けることによって外縁２３端における厚み（肉厚）を確保した場合の前記円弧の半径である。これにより、圧力面２４側から負圧面２５側に回りこむ気流の流れが滑らかになって外縁２３における渦流等の乱流の発生が抑えられる。その結果、外縁２３において圧力面２４側から負圧面２５側に回り込む気流の乱れに起因する送風音を効果的に低減することができる。
【００４０】
また、上記実施形態のプロペラファン１２は、基部２８から屈曲位置Ｂまで半径方向の平均翼厚が一定の割合で減少しているが、基部２８から屈曲位置Ｂまで半径方向の平均翼厚が一定であってもよい。この場合でも、屈曲位置Ｂ（半径方向Ｒにおける最も外側の節部２６）よりも外縁２３側に減肉部位３０を設けることにより、前記最も外側の節部２６よりも外側の部位を薄くして当該部位に加わる遠心力を抑えることができる。
【００４１】
また、上記実施形態の送風装置１０には、ベルマウス５５が設けられているが、なくてもよい。
【００４２】
また、上記実施形態の送風装置１０には、１つのプロペラファン１２が配置されているが、複数のプロペラファン１２、１２、…が配置されていてもよい。また、プロペラファン１２の回転軸は、水平方向に限定されず、垂直方向等の他の方向であってもよい。
【実施例】
【００４３】
ここで、上記実施形態のプロペラファンの効果を確認するために、上記実施形態のプロペラファンと、半径方向における羽根の厚み分布が基部から外縁まで一定の減少勾配である（即ち、減肉部位を有していない）構成以外の構成が上記実施形態のプロペラファンと同一である比較用のプロペラファンと、を用い、回転時の直径の変化を測定した。このときの、各プロペラファンの回転数は、９００［ｒｐｍ］である。尚、上記実施形態のプロペラファンにおける羽根の基部から減肉部位手前までの半径方向の各位置の平均翼厚、及び半径方向における平均翼厚の減少勾配と、比較用のプロペラファンにおける羽根の対応する部位の半径方向の各位置の平均翼厚、及び半径方向における平均翼厚の減少勾配とは同一である。
【００４４】
以下にその結果を示す。
【００４５】
【表１】
2013137009.tif 000003
【００４６】
尚、表１において上記実施形態のプロペラファンと比較用のプロペラファンとの最大外径が異なっているが、この差は成型時の製造誤差の範囲内である。
【００４７】
表１に示されるように、プロペラファンの回転時における半径の最大変形量が、比較用のプロペラファンに比べて２０％低減していることが分かる。
【００４８】
以上の結果から、上記実施形態のプロペラファンでは、半径方向において基部から外縁までの厚みの減少勾配が一定のプロペラファンに比べ、遠心力による撓みに起因する径外方向への羽根の伸びを防ぐことができることが確認できた。
【符号の説明】
【００４９】
１０          送風装置
１２          プロペラファン
１４          ハブ
１６          ハブの側面
２０、２０Ａ  羽根
２１          羽根の前縁
２２          羽根の後縁
２３          羽根の外縁
２４          羽根の圧力面
２５          羽根の負圧面
２６          節部
２８          羽根の基部
３０          減肉部位
３２          肉厚確保部位
５０          モータ
５２          回転軸
５５          ベルマウス
Ｒ            プロペラファンの半径方向
α            プロペラファンの回転方向
【図１】
2013137009.tif 000004
【図２】
2013137009.tif 000005
【図３】
2013137009.tif 000006
【図４】
2013137009.tif 000007
【図５】
2013137009.tif 000008
【図６】
2013137009.tif 000009
【図７】
2013137009.tif 000010
【図８】
2013137009.tif 000011
【図９】
2013137009.tif 000012